(57)【要約】【課題】調湿部及び冷却部を有する調湿素子を使用して室内の除湿を行う空調システムにおいて、全体の構成の簡素化及び性能の向上を図る。【解決手段】室外空間８から取り込んだ室外空気を加熱可能な加熱部２７、室内空間７から取り込んだ室内空気及び室外空間８から取り込んだ室外空気の流通経路を設定変更可能な流通経路変更機構２１〜２６、加熱部２７及び流通経路変更機構２１〜２６の動作を制御する運転制御部が備えられる。室内空間７から取り込んだ室内空気が、調湿部Ｗを通過した後に室内空間７に供給され、室外空間８から取り込んだ室外空気が、冷却部Ｃを通過した後に室外空間８に排出される除湿運転。室外空間８から取り込んだ室外空気が、加熱部２７で加熱された後に調湿部Ｗを通過し、室外空間８に排出される再生運転。運転制御部により除湿運転と再生運転とが交互に切り替えて実行される。【選択図】図１
2018162897.tif 000002
【特許請求の範囲】
【請求項１】
通過する吸着用空気の水分を吸着又は通過する再生用空気に水分を脱着する調湿部、及び、通過する冷却用空気にて前記調湿部の吸着に伴う吸着熱を吸収する冷却部を有する調湿素子を備える空調システムであって、
室外空間から取り込んだ室外空気を加熱可能な加熱部と、
室内空間から取り込んだ室内空気及び前記室外空間から取り込んだ室外空気の流通経路を設定変更可能な流通経路変更機構と、
前記加熱部及び前記流通経路変更機構の動作を制御する運転制御部とを備え、
前記運転制御部は、前記加熱部及び前記流通経路変更機構の動作を制御して、
前記室内空間から取り込んだ室内空気が、前記吸着用空気として前記調湿部を通過した後に前記室内空間に供給され、且つ、前記室外空間から取り込んだ室外空気が、前記冷却用空気として前記冷却部を通過した後に前記室外空間に排出される除湿運転と、
前記室外空間から取り込んだ室外空気が、前記加熱部で加熱された後に前記再生用空気として前記調湿部を通過し、その後、前記室外空間に排出される再生運転とを切り替えて実行できる空調システム。
【請求項２】
上流側に前記室内空間が接続されて、空気を前記調湿部の流入口に導く第１通路と、
下流側に前記室内空間が接続されて、前記調湿部の流出口から空気を導く第２通路と、
上流側に前記室外空間が接続されて、空気を前記冷却部の流入口に導く第３通路と、
下流側に前記室外空間が接続されて、前記冷却部の流出口から空気を導く第４通路と、
前記第３通路の途中の第１分岐部から分岐して、前記第１通路の途中の第１合流部に合流する第５通路と、
前記第２通路の途中の第２分岐部から分岐して、前記第４通路の途中の第２合流部に合流する第６通路と、を備え、
前記加熱部が、前記第５通路を流れる空気を加熱可能な位置に設けられ、
前記運転制御部は、
前記除湿運転を行うとき、前記室内空間から取り込んだ室内空気を、前記第１通路に流して前記調湿部の流入口に導き、その後、前記調湿部の流出口から前記第２通路に流して前記室内空間に供給し、且つ、前記室外空間から取り込んだ室外空気を、前記第３通路に流して前記冷却部の流入口に導き、その後、前記冷却部の流出口から前記第４通路に流して前記室外空間に排出し、
前記再生運転を行うとき、前記室外空間から取り込んだ室外空気を、前記第３通路と前記第１分岐部と前記第５通路と前記第１合流部と前記第１通路とを経由して前記調湿部の流入口に導くと共にその途中で前記加熱部によって加熱し、その後、前記調湿部の流出口から前記第２通路と前記第２分岐部と前記第６通路と前記第２合流部と前記第４通路とを経由して前記室外空間に排出する請求項１に記載の空調システム。
【請求項３】
上流側に前記室内空間が接続されて、空気を前記調湿部の流入口に導く第１通路と、
下流側に前記室内空間が接続されて、前記調湿部の流出口から空気を導く第２通路と、
上流側に前記室外空間が接続されて、空気を前記冷却部の流入口に導く第３通路と、
下流側に前記室外空間が接続されて、前記冷却部の流出口から空気を導く第４通路と、
前記第３通路の途中の第１分岐部から分岐して、前記第１通路の途中の第１合流部に合流する第５通路と、
前記第２通路の途中の第２分岐部から分岐して、前記第４通路の途中の第２合流部に合流する第６通路と、を備え、
前記加熱部が、前記第１合流部から前記調湿部の流入口に至る間の前記第１通路を流れる空気を加熱可能な位置に設けられ、
前記運転制御部は、
前記除湿運転を行うとき、前記室内空間から取り込んだ室内空気を、前記第１通路に流して前記調湿部の流入口に導き、その後、前記調湿部の流出口から前記第２通路に流して前記室内空間に供給し、且つ、前記室外空間から取り込んだ室外空気を、前記第３通路に流して前記冷却部の流入口に導き、その後、前記冷却部の流出口から前記第４通路に流して前記室外空間に排出し、
前記再生運転を行うとき、前記室外空間から取り込んだ室外空気を、前記第３通路と前記第１分岐部と前記第５通路と前記第１合流部と前記第１通路とを経由して前記調湿部の流入口に導くと共にその途中で前記加熱部によって加熱し、その後、前記調湿部の流出口から前記第２通路と前記第２分岐部と前記第６通路と前記第２合流部と前記第４通路とを経由して前記室外空間に排出する請求項１に記載の空調システム。
【請求項４】
前記運転制御部は、
前記室内空間から取り込んだ室内空気を、加湿用空気として前記第１通路に流して前記調湿部の流入口に導くと共にその途中で前記加熱部によって加熱し、前記調湿部の水分を前記加湿用空気に脱着させ、前記調湿部の流出口から前記第２通路を経由して前記室内空間に供給する加湿運転と、
前記室外空間から取り込んだ室外空気を、補給用空気として前記第３通路と前記第１分岐部と前記第５通路と前記第１合流部と前記第１通路とを経由して前記調湿部の流入口に導き、前記調湿部に前記補給用空気の水分を吸着させ、前記調湿部の流出口から前記第２通路と前記第２分岐部と前記第６通路と前記第２合流部と前記第４通路とを経由して前記室外空間に排出する補給運転と、
を切り替えて実行できる請求項３に記載の空調システム。
【発明の詳細な説明】
【技術分野】
【０００１】
本発明は、通過する吸着用空気の水分を吸着又は通過する再生用空気に水分を脱着する調湿部、及び、通過する冷却用空気にて調湿部の吸着に伴う吸着熱を吸収する冷却部を有する調湿素子を備える空調システムに関する。
【背景技術】
【０００２】
前述のような空調システムとして、特許文献１に開示されているように、２個の調湿素子を備えて、第１の調湿素子を吸着側素子とし、第２の調湿素子を再生側素子とする状態と、第１の調湿素子を再生側素子とし、第２の調湿素子を吸着側素子とする状態とに、交互に切り替えるようにした空調システムがある。
【０００３】
特許文献１の空調システムでは、第１の調湿素子を吸着側素子とし、第２の調湿素子を再生側素子とする場合、室外空気が吸着用空気として第１の調湿素子に供給され、第１の調湿素子において吸着用空気の水分を吸着し、水分が吸着された吸着用空気が室内に供給されて、室内の除湿が行われる。
これと同時に、室内空気が冷却用空気として第１の調湿素子に供給され、第１の調湿素子において吸着用空気の水分を吸着する際に発生する吸着熱が、冷却用空気により吸収されて室外に排出される。
この間、加熱された室外空気が再生用空気として第２の調湿素子に供給されて、第２の調湿素子の水分が脱着され、第２の調湿素子から脱着された水分が再生用空気と一緒に室外に排出される。
【０００４】
次に第１の調湿素子を再生側素子とし、第２の調湿素子を吸着側素子とする場合、室外空気及び室内空気の通路の切換操作が行われて、前述と同様に、第１の調湿素子が再生側素子として機能し、第２の調湿素子が吸着側素子として機能する。
【先行技術文献】
【特許文献】
【０００５】
【特許文献１】特開２０１７−１５３６８号公報
【発明の概要】
【発明が解決しようとする課題】
【０００６】
特許文献１の空調システムでは、２個の調節素子を使用している点、及び２個の調湿素子を吸着側素子及び再生側素子に交互に切り替えて使用する為の多数の通路やダンパが必要になる点により、構造の簡素化の面で改善の余地がある。
ダンパにより通路を閉じる場合、通路を完全に閉じることは困難であり、空気がダンパの位置で漏れることがある。これにより、前述のようにダンパの数が多いと、各ダンパでの空気の漏れを積算した総量が多くなるので、空調システムの全体の性能という面で不利なものとなる。
【０００７】
本発明は、調湿素子を使用して室内の除湿を行う空調システムにおいて、全体の構成の簡素化及び性能の向上を図ることを目的としている。
【課題を解決するための手段】
【０００８】
本発明は、通過する吸着用空気の水分を吸着又は通過する再生用空気に水分を脱着する調湿部、及び、通過する冷却用空気にて前記調湿部の吸着に伴う吸着熱を吸収する冷却部を有する調湿素子を備える空調システムにおいて、
室外空間から取り込んだ室外空気を加熱可能な加熱部と、
室内空間から取り込んだ室内空気及び前記室外空間から取り込んだ室外空気の流通経路を設定変更可能な流通経路変更機構と、
前記加熱部及び前記流通経路変更機構の動作を制御する運転制御部とを備え、
前記運転制御部は、前記加熱部及び前記流通経路変更機構の動作を制御して、
前記室内空間から取り込んだ室内空気が、前記吸着用空気として前記調湿部を通過した後に前記室内空間に供給され、且つ、前記室外空間から取り込んだ室外空気が、前記冷却用空気として前記冷却部を通過した後に前記室外空間に排出される除湿運転と、
前記室外空間から取り込んだ室外空気が、前記加熱部で加熱された後に前記再生用空気として前記調湿部を通過し、その後、前記室外空間に排出される再生運転とを切り替えて実行できるものである。
【０００９】
本発明によると、１個の調湿素子により室内を除湿する除湿運転が行われ、次に調湿素子から水分が脱着される再生運転が行われて、１個の調湿素子により除湿運転及び再生運転が交互に切り替えられて実行されるのであり、空調システムとして１個の調湿素子により室内空間の除湿が行われる。
【００１０】
空調システムとして１個の調湿素子により室内空間の除湿が行われることによって、特許文献１のように、２個の調湿素子を吸着側素子及び再生側素子に交互に切り替えて使用する為の多数の通路やダンパを備えた状態よりも、通路やダンパを少なくすることができる。
【００１１】
以上のように、空調システムとして１個の調湿素子により室内空間の除湿が行われること、及び、通路やダンパを少なくすることができることにより、空調システムの全体の構成の簡素化を図ることができる。
これに加えて、ダンパが少なくなることにより、各ダンパでの空気の漏れを積算した総量を少なくすることができて、空調システムの全体の性能の向上を図ることができる。
【００１２】
本発明によると、室内空間から室内空気を取り込み、調湿素子により室内空気から水分を吸着して、水分が吸着された室内空気を室内空間に供給しており、室内空間からの室内空気の取り込み、調湿素子による室内空気からの水分の吸着、水分が吸着された室内空気の室内空間への供給というサイクルを繰り返すことにより、除湿運転を行っている。
【００１３】
これにより、室内空間から調湿素子に供給される室内空気は、次第に除湿された室内空気となっていくので、除湿運転において調湿素子に掛かる負荷が次第に小さくなっていくのであり、１個の調湿素子であっても室内空間の除湿が充分に行われる。
【００１４】
特許文献１では、第１の調湿素子を吸着用素子及び再生用素子に切り替え、これと同時に第２の調湿素子を再生側素子及び吸着用素子に切り替えているので、第１及び第２の調湿素子において、吸着用素子である時間及び再生用素子である時間を同じものに設定しなければ、第１及び第２の調湿素子において性能の差が生じる。
【００１５】
本発明によると、１個の調湿素子により除湿運転及び再生運転を行っているので、除湿運転の時間及び再生運転の時間において、一方を長いものに設定し、他方を短いものに設定しても、不具合は生じない。
これにより、室外空間の温度や室内空間の湿度及び温度等の各種の条件に基づいて、調湿素子において、除湿運転の時間及び再生運転の時間の一方を長いものに設定したり、他方を短いものに設定したりすることにより、調湿素子の除湿性能を充分に発揮させることができる。
【００１６】
本発明において、
上流側に前記室内空間が接続されて、空気を前記調湿部の流入口に導く第１通路と、
下流側に前記室内空間が接続されて、前記調湿部の流出口から空気を導く第２通路と、
上流側に前記室外空間が接続されて、空気を前記冷却部の流入口に導く第３通路と、
下流側に前記室外空間が接続されて、前記冷却部の流出口から空気を導く第４通路と、
前記第３通路の途中の第１分岐部から分岐して、前記第１通路の途中の第１合流部に合流する第５通路と、
前記第２通路の途中の第２分岐部から分岐して、前記第４通路の途中の第２合流部に合流する第６通路と、を備え、
前記加熱部が、前記第５通路を流れる空気を加熱可能な位置に設けられ、
前記運転制御部は、
前記除湿運転を行うとき、前記室内空間から取り込んだ室内空気を、前記第１通路に流して前記調湿部の流入口に導き、その後、前記調湿部の流出口から前記第２通路に流して前記室内空間に供給し、且つ、前記室外空間から取り込んだ室外空気を、前記第３通路に流して前記冷却部の流入口に導き、その後、前記冷却部の流出口から前記第４通路に流して前記室外空間に排出し、
前記再生運転を行うとき、前記室外空間から取り込んだ室外空気を、前記第３通路と前記第１分岐部と前記第５通路と前記第１合流部と前記第１通路とを経由して前記調湿部の流入口に導くと共にその途中で前記加熱部によって加熱し、その後、前記調湿部の流出口から前記第２通路と前記第２分岐部と前記第６通路と前記第２合流部と前記第４通路とを経由して前記室外空間に排出すると好適である。
【００１７】
本発明によると、１個の調湿素子に対して第１通路〜第６通路、加熱部が設けられており、運転制御部により室内空気及び室外空気の流れを設定することによって、１個の調湿素子による除湿運転及び再生運転を適切に行うことができる。
【００１８】
本発明において、
上流側に前記室内空間が接続されて、空気を前記調湿部の流入口に導く第１通路と、
下流側に前記室内空間が接続されて、前記調湿部の流出口から空気を導く第２通路と、
上流側に前記室外空間が接続されて、空気を前記冷却部の流入口に導く第３通路と、
下流側に前記室外空間が接続されて、前記冷却部の流出口から空気を導く第４通路と、
前記第３通路の途中の第１分岐部から分岐して、前記第１通路の途中の第１合流部に合流する第５通路と、
前記第２通路の途中の第２分岐部から分岐して、前記第４通路の途中の第２合流部に合流する第６通路と、を備え、
前記加熱部が、前記第１合流部から前記調湿部の流入口に至る間の前記第１通路を流れる空気を加熱可能な位置に設けられ、
前記運転制御部は、
前記除湿運転を行うとき、前記室内空間から取り込んだ室内空気を、前記第１通路に流して前記調湿部の流入口に導き、その後、前記調湿部の流出口から前記第２通路に流して前記室内空間に供給し、且つ、前記室外空間から取り込んだ室外空気を、前記第３通路に流して前記冷却部の流入口に導き、その後、前記冷却部の流出口から前記第４通路に流して前記室外空間に排出し、
前記再生運転を行うとき、前記室外空間から取り込んだ室外空気を、前記第３通路と前記第１分岐部と前記第５通路と前記第１合流部と前記第１通路とを経由して前記調湿部の流入口に導くと共にその途中で前記加熱部によって加熱し、その後、前記調湿部の流出口から前記第２通路と前記第２分岐部と前記第６通路と前記第２合流部と前記第４通路とを経由して前記室外空間に排出すると好適である。
【００１９】
本発明によると、１個の調湿素子に対して第１通路〜第６通路、加熱部が設けられており、運転制御部により室内空気及び室外空気の流れを設定することによって、１個の調湿素子による除湿運転及び再生運転を適切に行うことができる。
【００２０】
本発明において、
前記運転制御部は、
前記室内空間から取り込んだ室内空気を、加湿用空気として前記第１通路に流して前記調湿部の流入口に導くと共にその途中で前記加熱部によって加熱し、前記調湿部の水分を前記加湿用空気に脱着させ、前記調湿部の流出口から前記第２通路を経由して前記室内空間に供給する加湿運転と、
前記室外空間から取り込んだ室外空気を、補給用空気として前記第３通路と前記第１分岐部と前記第５通路と前記第１合流部と前記第１通路とを経由して前記調湿部の流入口に導き、前記調湿部に前記補給用空気の水分を吸着させ、前記調湿部の流出口から前記第２通路と前記第２分岐部と前記第６通路と前記第２合流部と前記第４通路とを経由して前記室外空間に排出する補給運転と、
を切り替えて実行できると好適である。
【００２１】
本発明によると、１個の調湿素子により室内を加湿する加湿運転が行われ、次に調湿素子に水分が補給される補給運転が行われるのであり、１個の調湿素子により室内空間の加湿が行われる。
【００２２】
これにより、夏季等での室内空間の除湿に加えて、冬季等での室内空間の加湿も行うことができるのであり、空調システムの全体の機能性の向上を図ることができる。
この場合、前述のように通路やダンパを少なくした空調システムの構造を有効に利用して、室内空間の加湿も行うことができるように構成しているので、空調システムの構造の簡素化等が損なわれることはない。
【００２３】
本発明によると、室内空間から室内空気を取り込み、調湿素子の水分を室内空気に脱着して、水分が補給された室内空気を室内空間に供給しており、室内空間からの室内空気の取り込み、調湿素子の水分の室内空気への脱着、水分が補給された室内空気の室内空間への供給というサイクルを繰り返すことにより、加湿運転を行っている。
【００２４】
これにより、室内空間から調湿素子に供給される室内空気は、次第に加湿された室内空気となっていくので、加湿運転において調湿素子に掛かる負荷が次第に小さくなっていくのであり、１個の調湿素子であっても室内空間の加湿が充分に行われる。
【図面の簡単な説明】
【００２５】
【図１】空調システムの全体構成を示す回路図である。
【図２】運転制御部と各部との連係状態を示す図である。
【図３】調湿素子の斜視図である。
【図４】調湿素子における調湿部及び冷却部の断面図である。
【図５】調湿素子の分解斜視図である。
【図６】除湿運転での空調システムの状態を示す回路図である。
【図７】再生運転での空調システムの状態を示す回路図である。
【図８】発明の実施の第１別形態において、空調システムの全体構成を示す回路図である。
【図９】発明の実施の第１別形態において、加湿運転での空調システムの状態を示す回路図である。
【図１０】発明の実施の第１別形態において、補給運転での空調システムの状態を示す回路図である。
【発明を実施するための形態】
【００２６】
（空調システムの全体構成）
図１及び図２に、本発明の空調システムが示されている。この空調システムは、室内空間７と室外空間８との間で構成されており、主要な機器として、１個の調湿素子Ｅ、第１通路１１〜第６通路１６、第１ダンパ２１〜第６ダンパ２６、加熱部２７、第１送風機２９、第２送風機３０、指令受付部９及び運転制御部１０等を備えている。調湿素子Ｅは、調湿部Ｗと冷却部Ｃとを備えている。
【００２７】
（空調システムの運転の概要）
図２に示すように、室内空間７の居住者が指令受付部９の操作スイッチ（図示せず）等を操作することによって、操作指令が指令受付部９から運転制御部１０に出力されるのであり、操作指令に基づいて運転制御部１０により室内空間７の除湿が行われる。
【００２８】
図１及び図２に示すように、室内空間７の除湿が行われる場合、運転制御部１０によって、調湿素子Ｅにより室内空間７の除湿が行われる除湿運転（後述する（除湿運転）を参照）と、水分を吸着した調湿素子Ｅの再生が行われる再生運転（後述する（再生運転）を参照）とが、自動的に交互に切り替えられて実行される。
【００２９】
図１及び図２に示すように、運転制御部１０は、除湿運転及び再生運転において、第１ダンパ２１〜第６ダンパ２６、加熱部２７、第１送風機２９及び第２送風機３０を、後述する（除湿運転）及び（再生運転）に記載のように操作する。
【００３０】
（空調システムの回路構成）
図１に示すように、室内空間７と室外空間８との間に空調システムが配置されている。
第１通路１１の上流側が、室内空間７と連通する室内取込口１７に接続され、第１通路１１の下流側が、調湿素子Ｅの調湿部Ｗの流入口Ｗａに接続されている。
第２通路１２の上流側が、調湿素子Ｅの調湿部Ｗの流出口Ｗｂに接続され、第２通路１２の下流側が、室内空間７と連通する室内供給口１８に接続されており、第２通路１２に第１送風機２９が備えられている。
【００３１】
図１に示すように、第３通路１３の上流側が、室外空間８と連通する室外取込口１９に接続され、第３通路１３の下流側が、調湿素子Ｅの冷却部Ｃの流入口Ｃａに接続されている。
第４通路１４の上流側が、調湿素子Ｅの冷却部Ｃの流出口Ｃｂに接続され、第４通路１４の下流側が、室外空間８と連通する室外排出口２０に接続されており、第４通路１４に第２送風機３０が備えられている。
【００３２】
図１に示すように、第３通路１３の途中の第１分岐部３１から、第５通路１５が分岐して、第５通路１５が第１通路１１の途中の第１合流部３３に接続されており、第５通路１５に加熱部２７が備えられている。
第２通路１２の途中の第２分岐部３２から、第６通路１６が分岐しており、第６通路１６が、第４通路１４の途中の第２合流部３４に接続されている。
【００３３】
図１に示すように、空気を通す開位置及び空気を止める閉位置に操作自在な第１ダンパ２１〜第６ダンパ２６（流通経路変更機構に相当）が備えられている。
第１通路１１において室内取込口１７と第１合流部３３との間に、第１ダンパ２１が備えられている。第２通路１２において第２分岐部３２と第１送風機２９との間に、第２ダンパ２２が備えられている。
【００３４】
図１に示すように、第３通路１３において第１分岐部３１と調湿素子Ｅの冷却部Ｃの流入口Ｃａとの間に、第３ダンパ２３が備えられている。第４通路１４において調湿素子Ｅの冷却部Ｃの流出口Ｃｂと第２合流部３４との間に、第４ダンパ２４が備えられている。
【００３５】
図１に示すように、第５通路１５において加熱部２７と第１合流部３３との間に、第５ダンパ２５が備えられている。第６通路１６において第２分岐部３２と第２合流部３４とに間に、第６ダンパ２６が備えられている。
【００３６】
（調湿素子の構成）
図３，４，５に示すように、平面視で六角形状に形成された複数の平板部材１が備えられて、平板部材１の間に調湿部Ｗと冷却部Ｃとが交互に形成されている。図３及び図５では、６枚の平板部材１の間に、２層の調湿部Ｗ及び３層の冷却部Ｃが交互に形成された状態が示されている。通常の実用レベルでは、５０枚以上の平板部材１が積層されて、２５層以上の調湿部Ｗ及び冷却部Ｃが交互に形成されることが想定される。
【００３７】
図３，４，５に示すように、調湿部Ｗにおいて、波板状に成形された誘導部材３が平板部材１に取り付けられており、平板部材１の外周部の４箇所に側壁部材２が取り付けられて、流入口Ｗａ及び流出口Ｗｂが形成されている。平板部材１の上面及び下面、誘導部材３の上面及び下面に、吸湿剤５が保持されている。
【００３８】
図３，４，５に示すように、冷却部Ｃにおいて、波板状に成形された誘導部材４が平板部材１に取り付けられており、平板部材１の外周部の４箇所に側壁部材２が取り付けられて、流入口Ｃａ及び流出口Ｃｂが形成されている。平板部材１の上面及び下面に、金属膜６が形成されている。
【００３９】
図３，４，５に示すように、調湿部Ｗ及び冷却部Ｃにおいて、誘導部材３，４が同じ方向に沿うように配置されているのに対して、調湿部Ｗの流入口Ｗａ及び流出口Ｗｂと、冷却部Ｃの流入口Ｃａ及び流出口Ｃｂとは、互いに逆の配置となっている。
【００４０】
（調湿素子の各部の材質等）
平板部材１、側壁部材２及び誘導部材３，４は、例えば、ポリプロピレン、ポリエチレン、ポリエチレンテレフタレート等の樹脂を材料として、５０ミクロン程度の板厚の薄板によって構成されている。
吸湿剤５としては、例えば、架橋構造を有するポリアクリル酸ナトリウム等のポリアクリル酸系の樹脂を主成分とする材料が用いられる。
【００４１】
平板部材１及び誘導部材３，４と吸湿剤５とのバインダとして、吸湿剤５を構成する材料と極性が近く、吸湿剤５の体積変化やヒートサイクルに耐えることができるような柔軟性を有した材料が用いられる。
吸湿剤５としてポリアクリル酸系の樹脂が用いられる場合、バインダとしては、水性ウレタン樹脂、ポリ酢酸ビニル、エチレン−酢酸ビニル共重合体等の材料が用いられるのであり、前述の材料を混合した材料をバインダとして用いることもできる。
【００４２】
水性ウレタン樹脂等の材料で構成されたバインダとポリアクリル酸ナトリウムとを含む混合液を、平板部材１及び誘導部材３，４の表面に塗布することにより、ポリアクリル酸ナトリウムを平板部材１及び誘導部材３，４の表面に保持することができる。
金属膜６は、アルミニウム等の材質により、数ミクロン程度の厚さで構成されて、蒸着によって形成されており、金属膜６により平板部材１の伝熱面積が拡大されている。
【００４３】
（除湿運転）
前述の（空調システムの運転の概要）に記載のように、指令受付部９からの操作指令に基づいて運転制御部１０により室内空間７の除湿が行われる場合、運転制御部１０によって、除湿運転と再生運転とが、自動的に交互に切り替えられて実行される。
先ず除湿運転について説明する。
【００４４】
除湿運転において、図６に示すように、第１ダンパ２１、第２ダンパ２２、第３ダンパ２３、第４ダンパ２４が開位置に操作され、第５ダンパ２５、第６ダンパ２６が閉位置に操作される。第１送風機２９、第２送風機３０が作動状態に操作され、加熱部２７が停止状態に操作される。
【００４５】
図６に示すように、室内空間７の室内空気が、室内取込口１７から吸着用空気として取り込まれ、吸着用空気が第１通路１１、第１ダンパ２１及び第１合流部３３を通り、調湿部Ｗの流入口Ｗａから調湿部Ｗに入る。
次に吸着用空気は、調湿部Ｗの流出口Ｗｂから調湿部Ｗを出て、第２通路１２、第２分岐部３２及び第２ダンパ２２を通り、第１送風機２９及び室内供給口１８から室内空間７に供給される。
【００４６】
図４及び図５に示すように、調湿部Ｗにおいて、吸着用空気が誘導部材３の間を通りながら、吸着用空気の水分が調湿部Ｗの吸湿剤５に吸着されるのであり（吸着用空気が除湿されるのであり）、除湿された吸着用空気が室内空間７に供給される。
これにより、室内空間７からの吸着用空気の取り込み、吸着用空気の水分の吸着、除湿された吸着用空気の室内空間７への供給が、連続的に繰り返して行われて、室内空間７の除湿が行われる。
【００４７】
前述のように、調湿部Ｗの吸湿剤５による吸着用空気の水分の吸着が行われると、調湿部Ｗに吸着熱が発生して、調湿部Ｗの吸着性能が低下することがある。
この場合、図６に示すように、室外空間８の室外空気が、室外取込口１９から冷却用空気として取り込まれ、冷却用空気が第３通路１３、第１分岐部３１及び第３ダンパ２３を通り、冷却部Ｃの流入口Ｃａから冷却部Ｃに入る。
次に冷却用空気は、冷却部Ｃの流出口Ｃｂから冷却部Ｃを出て、第４通路１４、第４ダンパ２４及び第２合流部３４を通り、第２送風機３０及び室外排出口２０から室外空間８に排出される。
【００４８】
図４及び図５に示すように、冷却部Ｃにおいて、冷却用空気が誘導部材４の間を通りながら調湿部Ｗの吸着熱を吸収して、吸着熱を吸収した冷却用空気が室外空間８に排出される。これにより、調湿部Ｗが冷却されて、調湿部Ｗの吸着性能が高い状態に維持される。
【００４９】
図２に示すように、通過する空気の流量を検出する流量センサ３５、及び、通過する空気の湿度を検出する第１湿度センサ３６が、第１通路１１に備えられており、流量センサ３５及び第１湿度センサ３６の検出値が運転制御部１０に入力されている。通過する空気の湿度を検出する第２湿度センサ３７が、第２通路１２に備えられており、第２湿度センサ３７の検出値が運転制御部１０に入力されている。
【００５０】
これにより、第１湿度センサ３６の検出値（室内空間７から取り込まれた吸着用空気の湿度）と、第２湿度センサ３７の検出値（除湿された吸着用空気の湿度）との差、及び、調湿部Ｗに供給される吸着用空気の総量により、調湿部Ｗの吸湿剤５に吸着された水分の総量を演算することができる。
【００５１】
調湿部Ｗにおいて吸湿剤５が吸着できる水分の総量の限度は事前に把握することができるので、調湿部Ｗの吸湿剤５に吸着された水分の総量が前述の限度に達すると、調湿部Ｗにおいて吸湿剤５の水分の吸着が限度に達したと判断されて、運転制御部１０により、除湿運転から後述する再生運転への切り替えが行われる。
【００５２】
（再生運転）
再生運転において、図７に示すように、第５ダンパ２５、第６ダンパ２６が開位置に操作され、第１ダンパ２１、第２ダンパ２２、第３ダンパ２３、第４ダンパ２４が閉位置に操作される。第２送風機３０、加熱部２７が作動状態に操作され、第１送風機２９が停止状態に操作される。
【００５３】
図７に示すように、室外空間８の室外空気が、室外取込口１９から再生用空気として取り込まれ、再生用空気が第３通路１３、第１分岐部３１、第５通路１５、加熱部２７、第５ダンパ２５、第１合流部３３及び第１通路１１を通り、調湿部Ｗの流入口Ｗａから調湿部Ｗに入る。
次に再生用空気は、調湿部Ｗの流出口Ｗｂから調湿部Ｗを出て、第２通路１２、第２分岐部３２、第６通路１６、第６ダンパ２６、第２合流部３４、第４通路１４を通り、第２送風機３０及び室外排出口２０から室外空間８に排出される。
【００５４】
図４，５，７に示すように、加熱部２７において熱媒通路２８を循環する熱媒により、再生用空気が加熱されて、加熱された再生用空気が調湿部Ｗに入る。これにより、加熱された再生用空気により調湿部Ｗの吸湿剤５から水分が脱着されるのであり、調湿部Ｗの吸湿剤５の水分を脱着した再生用空気が室外空間８に排出される。
【００５５】
図２に示すように、第１通路１１に備えられた第１湿度センサ３６により、室外空間８から取り込まれた再生用空気の湿度が検出されており、第１湿度センサ３６の検出値が運転制御部１０に入力されている。第２通路１２に備えられた第２湿度センサ３７により、調湿部Ｗの流出口Ｗｂから出てくる再生用空気の湿度が検出されて、第２湿度センサ３７の検出値が運転制御部１０に入力されている。
【００５６】
これにより、第１湿度センサ３６の検出値と第２湿度センサ３７の検出値との差が無くなると、調湿部Ｗの吸湿剤５の水分が充分に脱着されたと判断されて、運転制御部１０により、再生運転から前述の除湿運転への切り替えが行われる。
以上のようにして、運転制御部１０により、除湿運転と再生運転とが自動的に交互に切り替えられて実行される。
【００５７】
（発明の実施の第１別形態）
空調システムを、図８に示すように構成してもよい。
図８に示すように、第１通路１１において第１合流部３３と調湿部Ｗの流入口Ｗａとの間に、加熱部２７が備えられており、加熱部２７以外は、図１と同じ構造が備えられている。
【００５８】
室内空間７の居住者が指令受付部９の操作スイッチ（図示せず）等を操作することによって、運転制御部１０により室内空間７の除湿及び加湿を行うことができる。
室内空間７の除湿が行われる場合、前述の（発明を実施するための形態）と同様に、運転制御部１０により除湿運転と再生運転とが自動的に交互に切り替えられて実行される。
【００５９】
（除湿運転）
図８に示す空調システムの除湿運転において、運転制御部１０は、図６と同様に第１ダンパ２１〜第６ダンパ２６、加熱部２７、第１送風機２９及び第２送風機３０を操作するのであり、吸着用空気の流れ及び冷却用空気の流れは図６と同じである。ただし図８に示す空調システムでは、吸着用空気は、第１通路１１において加熱部２７を通る。
【００６０】
（再生運転）
図８に示す空調システムの再生運転において、運転制御部１０は、図７と同様に第１ダンパ２１〜第６ダンパ２６、加熱部２７、第１送風機２９及び第２送風機３０を操作するのであり、再生用空気の流れは図７と同じである。ただし図８に示す空調システムでは、再生用空気は、第５通路１５から第１合流部３３を通過して第１通路１１に入り、加熱部２７を通る。
【００６１】
図８に示す空調システムにおいて、室内空間７の加湿が行われる場合、運転制御部１０により、調湿素子Ｅにより室内空間７の加湿が行われる加湿運転（後述する（加湿運転）を参照）と、調湿部Ｗの吸湿剤５への水分の補給が行われる補給運転（後述する（補給運転）を参照）とが、自動的に交互に切り替えられて実行される。運転制御部１０は、加湿運転及び補給運転において、第１ダンパ２１〜第６ダンパ２６、加熱部２７、第１送風機２９及び第２送風機３０を、以下のように操作する。
【００６２】
（加湿運転）
加湿運転において、図９に示すように、第１ダンパ２１、第２ダンパ２２が開位置に操作され、第３ダンパ２３、第４ダンパ２４、第５ダンパ２５、第６ダンパ２６が閉位置に操作される。第１送風機２９、加熱部２７が作動状態に操作され、第２送風機３０が停止状態に操作される。
【００６３】
図９に示すように、室内空間７の室内空気が、室内取込口１７から加湿用空気として取り込まれ、加湿用空気が第１通路１１、第１ダンパ２１、第１合流部３３及び加熱部２７を通り、調湿部Ｗの流入口Ｗａから調湿部Ｗに入る。
次に加湿用空気は、調湿部Ｗの流出口Ｗｂから調湿部Ｗを出て、第２通路１２、第２分岐部３２及び第２ダンパ２２を通り、第１送風機２９及び室内供給口１８から室内空間７に供給される。
【００６４】
図４，５，９に示すように、加熱部２７において熱媒通路２８を循環する熱媒により、加湿用空気が加熱され、加熱された加湿用空気が調湿部Ｗに入るのであり、加熱された加湿用空気により調湿部Ｗの吸湿剤５から水分が脱着されて（加湿用空気が加湿されて）、加湿された加湿用空気が室内空間７に供給される。
これにより、室内空間７からの加湿用空気の取り込み、加湿用空気による水分の脱着、加湿された加湿用空気の室内空間７への供給が、連続的に繰り返して行われて、室内空間７の加湿が行われる。
【００６５】
図２に示すように、第１通路１１に備えられた第１湿度センサ３６により、室内空間７から取り込まれた加湿用空気の湿度が検出されており、第１湿度センサ３６の検出値が運転制御部１０に入力されている。第２通路１２に備えられた第２湿度センサ３７により、調湿部Ｗの流出口Ｗｂから出てくる加湿用空気の湿度が検出されて、第２湿度センサ３７の検出値が運転制御部１０に入力されている。
【００６６】
これにより、第１湿度センサ３６の検出値と第２湿度センサ３７の検出値との差が無くなると、調湿部Ｗの吸湿剤５の水分が充分に脱着されたと判断されて、運転制御部１０により加湿運転から後述する補給運転への切り替えが行われる。
【００６７】
（補給運転）
補給運転において、図１０に示すように、第５ダンパ２５、第６ダンパ２６が開位置に操作され、第１ダンパ２１、第２ダンパ２２、第３ダンパ２３、第４ダンパ２４が閉位置に操作される。第２送風機３０が作動状態に操作され、第１送風機２９、加熱部２７が停止状態に操作される。
【００６８】
図１０に示すように、室外空間８の室外空気が、室外取込口１９から補給用空気として取り込まれ、補給用空気が第３通路１３、第１分岐部３１、第５通路１５、第５ダンパ２５、第１合流部３３、第１通路１１及び加熱部２７を通り、調湿部Ｗの流入口Ｗａから調湿部Ｗに入る。
次に補給用空気は、調湿部Ｗの流出口Ｗｂから調湿部Ｗを出て、第２通路１２、第２分岐部３２、第６通路１６、第６ダンパ２６、第２合流部３４、第４通路１４を通り、第２送風機３０及び室外排出口２０から室外空間８に排出される。
【００６９】
図４，５，１０に示すように、調湿部Ｗにおいて、補給用空気の水分が調湿部Ｗの吸湿剤５に吸着されて、補給用空気が室外空間８に排出されるのであり、調湿部Ｗの吸湿剤５に水分が補給される。
【００７０】
図２に示すように、第１通路１１に備えられた流量センサ３５及び第１湿度センサ３６により、室外空間８から取り込まれた補給用空気の流量及び湿度が検出される。第２通路１２に備えられた第２湿度センサ３７により、水分が脱着された補給用空気の湿度が検出される。
【００７１】
これにより、第１湿度センサ３６の検出値と第２湿度センサ３７の検出値との差、及び調湿部Ｗに供給される補給用空気の総量により、調湿部Ｗの吸湿剤５に吸着された水分の総量を演算することができる。
【００７２】
調湿部Ｗにおいて吸湿剤５が吸着できる水分の総量の限度は事前に把握することができるので、調湿部Ｗの吸湿剤５に吸着された水分の総量が前述の限度に達すると、調湿部Ｗにおいて吸湿剤５の水分の吸着が限度に達したと判断されて、運転制御部１０により、補給運転から前述の加湿運転への切り替えが行われる。
【００７３】
（発明の実施の第２別形態）
前述の（発明を実施するための形態）（発明の実施の第１別形態）において、以下のように構成してもよい。
【００７４】
除湿運転から再生運転への切り替えが行われる場合、補給運転から加湿運転への切り替えが行われる場合、調湿部Ｗにおいて吸湿剤５が吸着できる水分の総量の限度を、室内空間７の居住者が手動で高側及び低側に調節できるように構成してもよく、室外空間８の温度や室内空間７の湿度及び温度等の各種の条件に基づいて、運転制御部１０により自動的に調節されるように構成してもよい。
これにより、前述の限度が高側に調節されると、除湿運転（補給運転）の時間が長くなり、前述の限度が低側に調節されると、除湿運転（補給運転）の時間が短くなる。
【００７５】
除湿運転から再生運転への切り替えが行われる場合、補給運転から加湿運転への切り替えが行われる場合、第１湿度センサ３６の検出値と第２湿度センサ３７の検出値との差が無くなると、切り替えが行われるようにしてもよい。
【００７６】
除湿運転から再生運転への切り替えが行われる場合、再生運転から除湿運転への切り替えが行われる場合、加湿運転から補給運転への切り替えが行われる場合、補給運転から加湿運転への切り替えが行われる場合、タイマー（図示せず）によって、除湿運転（再生運転、加湿運転、補給運転）が開始されてからの運転時間を計測して、運転時間が事前に設定された所定時間に達すると、切り替えが行われるようにしてもよい。
【００７７】
この場合、前述の所定時間を、室内空間７の居住者が手動で長側及び短側に調節できるように構成してもよく、室外空間８の温度や室内空間７の湿度及び温度等の各種の条件に基づいて、運転制御部１０により自動的に調節されるように構成してもよい。
【００７８】
再生運転から除湿運転への切り替えが行われる場合、加湿運転から補給運転への切り替えが行われる場合、調湿部Ｗの流出口Ｗｂから出てくる再生用空気（加湿用空気）の湿度が、事前に設定された所定値まで下がると、切り替えが行われるようにしてもよい。
この場合、前述の所定値を、室内空間７の居住者が手動で高側及び低側に調節できるように構成してもよく、室外空間８の温度や室内空間７の湿度及び温度等の各種の条件に基づいて、運転制御部１０により自動的に調節されるように構成してもよい。
【００７９】
（発明の実施の第３別形態）
前述の（発明を実施するための形態）の図１において、加熱部２７を、第５通路１５において第５ダンパ２５と第１合流部３３との間に備えてもよい。
【００８０】
前述の（発明の実施の第１別形態）の図８において、加熱部２７を、第１通路１１における室内取込口１７と第１ダンパ２１との間に備えてもよく、第１通路１１における第１ダンパ２１と第１合流部３３との間に備えてもよい。
【産業上の利用可能性】
【００８１】
本発明は、調湿部及び冷却部を有する調湿素子を備えた空調システムに適用できる。
【符号の説明】
【００８２】
７          室内空間
８          室外空間
１０        運転制御部
１１        第１通路
１２        第２通路
１３        第３通路
１４        第４通路
１５        第５通路
１６        第６通路
２１〜２６  流通経路変更機構
２７        加熱部
３１        第１分岐部
３２        第２分岐部
３３        第１合流部
３４        第２合流部
Ｅ          調湿素子
Ｗ          調湿部
Ｗａ        調湿部の流入口
Ｗｂ        調湿部の流出口
Ｃ          冷却部
Ｃａ        冷却部の流入口
Ｃｂ        冷却部の流出口
【図１】
2018162897.tif 000003
【図２】
2018162897.tif 000004
【図３】
2018162897.tif 000005
【図４】
2018162897.tif 000006
【図５】
2018162897.tif 000007
【図６】
2018162897.tif 000008
【図７】
2018162897.tif 000009
【図８】
2018162897.tif 000010
【図９】
2018162897.tif 000011
【図１０】
2018162897.tif 000012